(57)【要約】【課題】医用情報を所定の保存条件に基づいて外部保存メディアに分散保存することで所望の医用情報の検索を容易にする医用装置および医用装置用外部保存メディアを提供すること。【解決手段】実施形態の医用装置は、被検体の医用画像を撮影する医用画像撮影部と、前記医用画像を含む検査情報を保存する検査情報保存部と、前記検査情報の保存条件情報を外部保存メディアに設定する保存条件情報設定部と、前記保存条件情報に従って、前記外部保存メディアに前記検査情報を保存するデータ制御部と、を有する。また、本実施形態の外部保存メディアは、医用画像を含む検査情報と、前記検査情報の保存条件情報と、を含むデータ構造を有する。【選択図】図１
2015032294.tif 000002
【特許請求の範囲】
【請求項１】
被検体の医用画像を撮影する医用画像撮影部と、
前記医用画像を含む検査情報を保存する検査情報保存部と、
前記検査情報の保存条件情報を外部保存メディアに設定する保存条件情報設定部と、
前記保存条件情報に従って、前記外部保存メディアに前記検査情報を保存するデータ制御部と、
を有する医用装置。
【請求項２】
前記外部保存メディアの挿抜状態を検出するメディア検出部をさらに有し、
前記外部保存メディアが挿入された場合には、前記保存条件情報が設定されているかどうかを前記外部保存メディアから読み出し、
前記保存条件情報が、前記外部保存メディアに設定されていない場合には、前記保存条件情報設定部は、前記保存条件情報を前記外部保存メディアに設定する請求項１記載の医用装置。
【請求項３】
検査中を表す検査中情報を前記外部保存メディアに設定する検査中情報設定部をさらに有する請求項２記載の医用装置。
【請求項４】
検査中に前記外部保存メディアが挿入された場合には、前記保存条件情報が設定されているかどうかを前記外部保存メディアから読み出し、
この保存条件情報が、少なくとも検査中の患者情報と一致した場合には、検査終了後に前記患者情報にする検査情報を前記外部保存メディアに保存する請求項３記載の医用装置。
【請求項５】
検査中以外に前記外部保存メディアが挿入された場合には、前記検査中情報を前記外部保存メディアから読み出し、この検査中情報が検査中を示す場合には、該当する検査情報を前記外部保存メディアから削除する請求項４記載の医用装置。
【請求項６】
複数の保存条件を組み合わせた索引が前記保存条件情報に含まれる場合、この索引に対応する検査情報を前記外部保存メディアに保存する請求項１記載の医用装置。
【請求項７】
医用装置で取得された検査情報から保存条件に合致した検査情報を選択して保存するための保存条件情報と、
検査の進捗状況を示す検査中情報と、
前記保存条件情報に基づいて保存された検査情報と、
を有する医用装置用外部保存メディア。
【請求項８】
前記保存条件情報は、複数の保存条件の組み合わせた索引を含む請求項７記載の医用装置用外部保存メディア。
【発明の詳細な説明】
【技術分野】
【０００１】
本発明の実施形態は、医用情報の分散保存を容易にする医用装置および医用装置用外部保存メディアに関する。
【背景技術】
【０００２】
超音波診断装置などの医用診断装置において、被検体を撮影した検査情報などの保存媒体には装置本体のハードディスク（HDD:Hard Disk Drive）や外付けのＵＳＢ(Universal Serial Bus)メモリなどの外部保存メディアが用いられ、その日発生した検査情報を一括して保存することが行われる。近年、ＵＳＢメモリ、ＳＤ(Secure Digital)カードおよびハードディスクの低価格化、大容量化が進み、従来のＣＤ（Compact Disc）、ＤＶＤ(Digital Versatile Disc)等の光学メディアを代替するものとして使用される。
【０００３】
しかし、このような各種外部保存メディアに、一定期間発生した検査情報を一括記録し保存している場合には、複数の外部保存メディアの中から所望の医用情報を検索し、取り出すには非常に手間と時間がかかるという問題がある。また、大容量メディアになればなるほど大量の医用画像を保存できるため、メディアへの書き込み時間が長くなったり、検索、読み出し自体に時間がかかるという問題が生じる。このため、大容量メディア内の医用情報の適切な保存管理が必要である。すなわち、一括で大量の医用情報を一つの外部保存メディアに保存することから生じる検索の手間や時間の問題を改善しつつ、医用装置として安全性を考慮した保存方法が必要である。
【０００４】
外部リムーバルメディアに対して複数の記憶領域に分割して管理するものとして以下の特許文献がある。
【先行技術文献】
【特許文献】
【０００５】
【特許文献１】特開２０１１−１２８７１６号公報
【発明の概要】
【発明が解決しようとする課題】
【０００６】
本発明が解決しようとする課題は、上記問題を解決し、医用情報を所定の保存条件に基づいて外部保存メディアに分散保存することで所望の医用情報の検索を容易にする医用装置および医用装置用外部保存メディアを提供することである。
【課題を解決するための手段】
【０００７】
上記課題を達成するために、実施形態の医用装置は、被検体の医用画像を撮影する医用画像撮影部と、前記医用画像を含む検査情報を保存する検査情報保存部と、前記検査情報の保存条件情報を外部保存メディアに設定する保存条件情報設定部と、前記保存条件情報に従って、前記外部保存メディアに前記検査情報を保存するデータ制御部と、を有する。
【０００８】
また、本実施形態の外部保存メディアは、医用装置で取得された検査情報から保存条件に合致した検査情報を選択して保存するための保存条件情報と、検査の進捗状況を示す検査中情報と、前記保存条件情報に基づいて保存された検査情報と、を有する。
【図面の簡単な説明】
【０００９】
【図１】本実施形態における医用装置の全体構成図。
【図２】第１の実施形態における外部保存メディアのデータ構造図。
【図３】保存条件情報のデータ構造図の例。
【図４】検査中情報のデータ構造図の例。
【図５】保存条件情報に基づく検査情報の保存処理を説明するフローチャート図。
【図６】２つ以上の保存条件情報が存在する外部保存メディアのデータ構造図の例。
【図７】ＳＤカードリーダに１つのカードスロットしか持たない場合の患者別分散保存方法を説明するフローチャート図。
【図８】ＳＤカードリーダに２つ以上のカードスロットを持つ場合の患者別分散保存方法を説明するフローチャート図。
【図９】マルチスロットを持つＳＤカードリーダに対して、索引機能を利用した分散保存の説明図。
【図１０】ＤＩＣＯＭ規格に準拠したファイル構成例。
【発明を実施するための形態】
【００１０】
以下、発明を実施するための実施形態について図１から図１０に示す図面を参照しながら詳細に説明する。本実施形態の医用装置は、好ましくはＤＩＣＯＭ規格に準拠したシステムであって、モダリティなどの医用装置に組み込まれたファイルシステムの利便性を向上させる。そしてＨＩＳ(Hospital Information System)、ＲＩＳ（Radiology Information System）、ＰＡＣＳ(Picture Archiving and Communication Systems)などのシステムと連携して構築することが可能であり、既存のシステムとの整合性が容易に得られる。
【００１１】
（第１の実施形態）
図１は、本実施形態における医用装置の全体構成図である。医用装置１０は、超音波診断装置、Ｘ線装置などのモダリティを仮定し、ＨＤＤ、ＵＳＢメモリ、およびＳＤカードなどの外部保存メディア２０に対し医用装置１０で実施された検査情報を保存する。図１に示すように、被検体の医用画像を撮影する医用画像撮影部１１、被検体の医用画像を含む検査情報を記録する検査情報保存部１２、検査情報など表示する表示部１３、ＨＩＳ、ＲＩＳなどのネットワークに接続され各種医用情報を送受信するネットワークデータ送受信部１４、外部保存メディア２０に対して検査情報などのデータの入出力を行う外部保存メディア入出力部１５、外部保存メディア２０の挿抜状態を検出するメディア検出部１６、検査情報などを外部保存メディア２０に書き込むための制御を行うメディア制御部１７、検査中の患者情報を設定する患者情報設定部１８、および医用装置１０に対してユーザが各種制御や各種情報設定を行うユーザインタフェース部１９を有している。
【００１２】
また、メディア制御部１７は、検査中情報設定部１７１、保存条件情報設定部１７２、検査情報設定部１７３、およびデータ制御部１７４を有しており、それぞれが連携して機能する。
【００１３】
検査中情報設定部１７１は、医用装置１０が検査中である場合は、外部保存メディア２０内に検査中であることを示す情報（以下検査中情報と称する）の設定をデータ制御部１７４介して行う。
【００１４】
保存条件情報設定部１７２は、外部保存メディア２０に保存すべき検査情報の保存条件をデータ制御部１７４介して設定する。
【００１５】
検査情報設定部１７３は、外部保存メディア２０に記録されている保存条件情報に基づいて医用画像を含む検査情報を検査情報保存部１２から読出し、データ制御部１７４を介して外部保存メディア２０に移動させる。
【００１６】
データ制御部１７４は、医用装置１０に接続される複数の外部保存メディアに対して、上述の検査中情報設定、保存条件情報設定、検査情報保存などのデータ制御の他、コピーや削除などのデータ制御を行う。
【００１７】
図２は、外部保存メディア２０のデータ構造図を示している。外部保存メディア２０内にはデータ構造が定義されており、少なくとも保存条件情報２１、検査中情報２２、および医用画像などの検査情報２３を有する。
【００１８】
図３は、保存条件情報２１のデータ構造図を示す。保存条件情報２１は、検査オーダを一意に識別する検査ＩＤ２１Ａ、患者を一意に識別する患者ＩＤ２１Ｂ、検査するモダリティを識別する検査種別２１Ｃ、検査日時２１Ｄ、検査部位２１Ｅ、論理式などで複雑な保存条件を指定する索引２１Ｆ、および検査情報のリンク先２１Ｇなどの条件が適宜必要に応じて選択されて構成される。検査ＩＤ２１Ａ、患者ＩＤ２１Ｂ、検査種別２１Ｃ、検査日時２１Ｄ、検査部位２１Ｅなどの検査オーダに関する情報は、例えば、ネットワークデータ送受信部１４を介してＨＩＳの情報を自動的に取得してもよいし、ユーザインタフェース部１９を用いて個別に入力してもよい。
【００１９】
図４は、検査中情報２２のデータ構造図を示す。検査中情報２２は、現在行われている検査を識別するための情報であり、少なくとも検査ＩＤ２２Ａ、患者ＩＤ２２Ｂを含む。また、検査種別２２Ｃ、検査日時２２Ｄ、検査中フラグ２２Ｅなどのその他の情報が適宜必要に応じて選択されて構成される。
【００２０】
この検査中情報２２は、被検体の検査中に検査中情報２２が外部保存メディア２０に設定され、検査終了時には外部保存メディア２０削除される方法が簡便な方法である。このため実施形態の説明ではこの方法を採用する。しかし、さらに検査中フラグ２２Ｅなどの項目を設定し、ここに検査の進捗状況を示すフラグを設定してもよい。例えば、「検査中＝1」、「検査終了＝0」などである。また、検査の進捗状態を詳細に表わすために「撮影中＝２」、「画像保存中＝３」などを適宜設けてもよい。
【００２１】
図５は、保存条件情報２１に基づいて、患者の検査情報をその患者に対応する外部保存メディア２０に保存するフローチャート図である。
【００２２】
まずステップＳＴ５０１では、外部保存メディア２０が外部保存メディア入出力部１５に挿入されているかどうかを確認する。なお、外部保存メディア２０がＳＤカードの場合であれば、外部保存メディア入出力部１５はＳＤカードリーダ・ライタ（以下ＳＤカードリーダと称する）を想定する。外部保存メディア２０が挿入状態であれば（ＳＴ５０１：Ｙｅｓ）、次のステップＳＴ５０２に進む。外部保存メディア２０が挿入状態でなければ（ＳＴ５０１：Ｎｏ）、挿入されるまで待機する。外部保存メディア２０の挿抜状態は、メディア検出部１６で行われる。
【００２３】
ステップＳＴ５０２では、外部保存メディア入出力部１５は、外部保存メディア２０にアクセスし、外部保存メディア２０内に保存条件情報２１が存在するか否かを調べる。保存条件情報２１が存在すれば、少なくとも患者情報である患者ＩＤを読み出し、患者情報設定部１８に設定されている現在検査中の患者情報と照合し、その両者が合致すれば（ＳＴ５０２：Ｙｅｓ）、次のステップＳＴ５０３に進む。この保存条件情報２１は、予めカルテを作成すると同時に検査オーダ情報に基づいて作成され、この外部保存メディア２０がカルテに付帯されることを想定している。
【００２４】
外部保存メディア２０内に保存条件情報２１自体が存在しない、または保存条件情報２１内に現在検査中の患者ＩＤが存在しない場合は（ＳＴ５０２：Ｎｏ）、ステップＳＴ５０４に進む。この時、医用装置１０は、患者の保存条件情報２１が記録されている外部保存メディア２０を挿入するように促すか、または、新たに保存条件情報２１を作成するかどうかのメッセージを表示部１３に表示して操作者に確認する。操作者によって新たに保存条件情報２１を作成することが選択されると、保存条件情報設定部１７２は、検査中の患者に対する保存条件情報２１を外部保存メディア２０に作成する。
【００２５】
この保存条件情報２１は、ＨＩＳの検査オーダ情報を自動的に取得し、検査ＩＤ、検査を受ける患者ＩＤ、検査種別（検査を受けるモダリティ）情報などに基づいて自動的に作成してもよいし、医用装置内の設定情報やユーザインタフェース部１９を用いて個別に入力し作成してもよい。
【００２６】
ステップＳＴ５０３では、現在、医用装置１０が患者を検査中であるか否かを判断する。具体的には、医用画像撮影部１１が撮像中であること、撮像が終了し医用画像を保存中であることなどに基づいて判断する。医用装置１０が検査中である場合には（ＳＴ５０３：Ｙｅｓ）、次のステップＳＴ５０５に進む。医用装置１０が検査中でない場合は（ＳＴ５０３：Ｎｏ）、ステップＳＴ５０６に進む。
【００２７】
ステップＳＴ５０５では、外部保存メディア２０に対して、医用装置１０が現在「検査中」であることを設定するために、検査中情報設定部１７１は、検査中情報２２を外部保存メディア２０に設定する。
【００２８】
ステップＳＴ５０７では、医用装置１０における検査が終了する。そしてステップＳＴ５０８において、検査情報設定部１７３は、医用画像撮影部１１で撮影された医用画像、または検査情報保存部１２に保存された検査情報のうち、患者ＩＤに関連付けられた検査情報を読み出し、外部保存メディア２０に検査情報２３を保存する。この時、外部保存メディア２０に保存された検査情報と、医用装置１０内に保存された検査情報２３とをベリファイし、同一であることを確認して医用装置１０内の検査情報を削除する。
【００２９】
ステップＳＴ５０９では、検査が終了したため検査中情報を削除し、フローチャートを終了する。なお、実施形態によっては検査中フラグ２２Ｅを「検査終了」に設定してもよい。
【００３０】
ステップＳＴ５０３で医用装置１０が「検査中」でない場合は（ＳＴ５０３：Ｎｏ）、ステップＳＴ５０６に進み、外部保存メディア２０内に検査中情報２２が設定されているか否かを判断する。検査中情報２２が設定されていない場合は（ＳＴ５０６：Ｎｏ）、終了する。検査中情報２２が設定されている場合は（ＳＴ５０６：Ｙｅｓ）、検査中に外部保存メディア２０が抜き差しされたことが想定されるため、検査情報２３が正しく保存されていない可能性を生じる。
【００３１】
そのため、ステップＳＴ５１０において、検査中情報２２および検査中情報に対応する検査情報２３を削除して終了ステップに進み再度開始ステップに戻る。このステップＳＴ５１０に進んだ場合には、表示部１３に注意喚起のメッセージ、例えば「検査情報にエラーの可能性があるため削除しました。もう一度ＳＤカードをＳＤカードリーダに挿入してください。」などのメッセージを表示させ、開始ステップを再度実行する。開始ステップに戻ることで正しい検査情報が外部保存メディア２０に保存される。
【００３２】
以上述べた第１の実施形態によれば、検査中の患者に発生した検査情報は、医用装置１０内と外部保存メディア２０に保存される。そして検査終了後には、医用装置１０内と外部保存メディア２０内の検査情報をベリファイし、問題がなければ医用装置１０内の検査情報を削除する。また、検査中に外部保存メディアが抜かれるなどした場合は、検査中情報の有無を検知し、不正確な検査情報を一旦外部保存メディアから削除することができる。
【００３３】
これにより外部保存メディア２０に保存する検査情報の安全性を確保するとともに、外部保存メディア２０を主たる保存媒体とする運用が可能である。このため、検査情報保存部１２を構成するメモリは、検査情報を一時退避するための小容量なもので十分であり、患者データの長期保存を目的としない運用が可能となる。
【００３４】
（第２の実施形態）
本実施形態では、複数の患者の検査情報が混在して保存されている外部保存メディアから、各患者の検査情報をそれぞれ専用の外部保存メディアに分散保存する場合について説明する。特に複数の緊急患者が搬送されてきた場合などでは、一つの外部保存メディア内に複数の患者の検査情報を保存しなければならない場合や外部保存メディアが準備できない場合がある。本実施形態においては、外部保存メディア２０としてＳＤカードを想定し、外部保存メディア入出力部１５としてＳＤカードリーダを想定して説明する。
【００３５】
図６は、２つ以上の保存条件情報が存在するＳＤカードのデータ構造図である。ここでは、少なくとも患者Ａ、Ｂに対する保存条件情報２１Ａ、２１Ｂと、患者Ａ、Ｂに対する検査中情報２２Ａ、２２Ｂと、患者Ａ、Ｂに対する検査情報２３Ａ、２３Ｂを有している。このように、保存条件情報、検査中情報、検査情報のそれぞれは患者ごとに互いに関連付けられ、さらには各患者の保存条件情報、検査情報は、複数の検査ＩＤに対応して分割されている。
【００３６】
図７は、ＳＤカードリーダに１つのカードスロットしか持たない場合の患者別分散保存方法を説明するフローチャート図であり、図８は、ＳＤカードリーダに２つ以上のカードスロットを持つ場合の患者別分散保存方法を説明するフローチャート図である。ＳＤカードリーダのスロット数によってその分散保存方法は若干異なるものとなる。
【００３７】
まず、図７を用いてＳＤカードリーダに１つのカードスロットしか持たない場合の分散保存方法を説明する。ステップＳＴ７０１では、緊急患者Ａ、Ｂの検査情報が混在するＳＤカード２０ＡをＳＤカードリーダ１５（外部保存メディア入出力部と同じ符号を使用する。）に挿入する。緊急患者Ａ、Ｂは、氏名が特定されておらず、この時点では患者ＩＤとして「緊急２０１２１２１１００００１」などの日付を基にした番号が付けられている。
【００３８】
異なる緊急患者の検査情報Ａ、ＢがＳＤカード２０Ａに保存されている場合には（ＳＴ７０１：Ｙｅｓ）、次のステップＳＴ７０２に進む。複数の緊急患者の検査情報が混在していない場合には（ＳＴ７０１：Ｎｏ）、緊急患者の氏名が分かった時点で患者氏名を変更し、終了する。
【００３９】
ステップＳＴ７０２では、まず緊急患者Ｂに対して患者氏名を特定し、これを変更するために、ユーザインタフェース部１９を用いて、例えば「東芝太郎」という患者名（患者ＩＤ）を患者情報設定部１８に入力する。
【００４０】
ステップＳＴ７０３では、ＳＤカード２０Ａ内から保存条件情報２１を読み出し、保存条件情報Ｂ内の患者ＩＤを「緊急２０１２１２１１００００１」から「東芝太郎」に変更する。
【００４１】
ステップＳＴ７０４では、保存条件情報Ｂ、および検査情報Ｂを医用装置１０内の検査情報保存部１２に一時退避した後、ＳＤカード２０Ａからは、患者Ｂに対する保存情報Ｂ、検査中情報Ｂ、検査情報Ｂを削除する。これにより患者Ａのみ情報が保存されたＳＤカード２０Ａが生成される。
【００４２】
ステップＳＴ７０５では、患者Ａのみの情報が保存されたＳＤカード２０ＡをＳＤカードリーダ１５から取り出す。
【００４３】
ステップＳＴ７０６では、新規ＳＤカード２０ＢをＳＤカードリーダ１５に挿入する。そして、ステップＳＴ７０４で保存しておいた保存条件情報Ｂと検査情報ＢをＳＤカード２０Ｂに対して書き込む。
【００４４】
ステップＳＴ７０６にて患者名「東芝太郎」のＳＤカード２０Ｂが完成するため、ステップＳＴＳＴ７０７ではＳＤカード２０ＢをＳＤカードリーダ１５から取り出す。
【００４５】
以上のフローチャートにより、複数の患者の検査情報が混在するＳＤカードから、患者専用のＳＤカードへと分散保存が可能となる。
【００４６】
次にＳＤカードリーダに２つ以上のカードスロットを持つ場合の分散保存方法について説明する。
【００４７】
ステップＳＴ８０１では、ステップＳＴ７０１と同様に、緊急患者Ａ、Ｂの検査情報が混在するＳＤカード２０ＡをＳＤカードリーダ１５に挿入する。緊急患者の検査情報が混在していない場合には（ＳＴ８０１：Ｎｏ）、患者氏名が判明した時点で患者ＩＤの変更を行い、終了する。
【００４８】
ステップＳＴ８０２では、ＳＤカード２０ＡはＳＤカードリーダ１５の第１スロットに挿入されていると仮定し、さらにＳＤカードリーダ１５の第２スロットに新規ＳＤカード２０Ｂを挿入する。
【００４９】
ステップＳＴ８０３では、緊急患者Ｂに対して患者氏名を特定し、これを変更するために、ユーザインタフェース部１９を用いて、例えば「東芝太郎」という患者名を患者情報設定部１８に入力する。そしてＳＤカード２０Ａ内から保存条件情報を読み出し、保存条件情報２１Ｂ内の患者ＩＤを「緊急２０１２１２１１００００１」から「東芝太郎」に変更する。
【００５０】
ステップＳＴ８０４では、ＳＤカードリーダの第１のスロットから第２スロットへ保存条件情報２１Ｂと検査情報２１Ｂを移動する。
【００５１】
ステップＳＴ８０５では、患者ＡのＳＤカード２０Ａが完成し、第１スロットからＳＤカード２０Ａを取り出す。
【００５２】
ステップＳＴ８０６では、患者「東芝太郎」のＳＤカード２０Ｂが完成し、第２スロットからＳＤカード２０Ｂを取り出す。
【００５３】
以上のフローチャートにより、複数の患者の検査情報が混在するＳＤカードから、患者専用のＳＤカードへと分散保存が可能となる。
【００５４】
また、緊急患者の場合は、ＳＤカードを用意できない可能性がある。そのような場合には、検査情報保存部１２に保存条件情報２１と検査情報２２の一時保存を行い、後日ＳＤカードに移動することが可能である。
【００５５】
以上述べたように、第２の実施形態によれば、緊急時に複数の患者の検査情報を混在して１つの外部保存メディアに保存した場合においても、後日、患者ごとの外部保存メディアに検査情報を分散保存することが可能である。
【００５６】
また、検査開始時に外部保存メディアが準備できない緊急時のケースや、操作者の意思により外部保存メディアを予め挿入しない場合において、検査情報保存部１２などの一時退避領域に検査情報を保存することができる。そして後日速やかに外部保存メディアに検査情報を移すことができる。
【００５７】
（第３の実施形態）
本実施形態では、保存条件情報の索引機能を利用する。すなわち患者をある索引条件にて分類し、その分類に基づいて外部保存メディアに一括して分散保存する。
【００５８】
本実施形態では、ＳＤカードリーダ１５にマルチスロットを有するタイプのものを用いる。図３に示す保存条件情報２１の索引２１Ｆについては、各種索引（分類）のための条件を記載することができる。例えば複数の保存条件のＡＮＤやＯＲなどの論理式を記述することもできる。保存条件情報２１の項目は、保存条件情報設定部１７２により操作者が自由に設定し、各ＳＤカードの索引２１Ｆに書き込むことができる。
【００５９】
図９は、索引機能を利用した分散保存の説明図である。医用装置１０には外部保存メディア入出力部１５としてマルチスロットのＳＤカードリーダ１５Ｍが接続されている。このマルチスロットＳＤカードリーダ１５Ｍは、５つのスロットを有しており、左から、個人用ＳＤカード２０Ｐ、ア、カ、サ行患者用ＳＤカード２０Ｃ、タ、ナ、ハ行患者用ＳＤカード２０Ｄ、マ、ヤ、ラ行患者用ＳＤカード２０Ｅ、およびワ行、外国患者用ＳＤカード２０Ｆが挿入されている。
【００６０】
例えば、ア、カ、サ行用のＳＤカード内の保存条件情報２１の索引２１Ｆには、「保存条件＝ア、カ、サ行」と記載されており、この保存条件を基に検査情報の振り分けが行われる。例えば、患者ＩＤが東芝太郎の場合には、その名字の振り仮名が「た行」であるため、患者用ＳＤカード２０Ｐに検査情報が保存されるとともに、タ、ナ、ハ行患者用ＳＤカード２０Ｄにも検査情報２３が記録される。また、該当する索引条件と一致しない場合は、検査情報は保存されない。
【００６１】
このように、第３の実施形態によれば、患者用外部保存メディア２０Ｐ（保存条件情報として患者名が指定されている外部保存メディア）とは別に複数患者用の外部保存メディア（保存条件情報として索引が指定されている外部保存メディア）２０Ｃ〜２０ＦをマルチスロットＳＤカードリーダ１５Ｍに挿入し、患者用外部保存メディア２０Ｐへのデータ書き込みと同時に、該当する複数患者用外部保存メディア２０Ｃ〜２０Ｆへの書き込みを行う。これにより索引２１Ｆに基づいた分散保存を同時に行うことができる。また、医用装置１０の保存条件設定部１７２は、ＳＤカードリーダ１５Ｍに挿入される外部保存メディア毎に保存条件情報２１を自由に追加、削除することができる。
【００６２】
（第４の実施形態）
本実施形態では、外部保存メディア２０に保存されるＤＩＣＯＭファイルについて説明する。図１０は、ＤＩＣＯＭ規格に準拠したファイル構成例を示している。外部保存メディア２０には、図２に示したように、医用装置１０で取得された検査情報から保存条件に合致した検査情報を選択して保存するための保存条件情報２１と、検査の進捗状況を示す検査中情報２２と、前記保存条件情報に基づいて保存された検査情報２３が保存されるが、ＤＩＣＯＭメディアの場合、外部保存メディア２０内には少なくとも１つのファイルセット１００が構成されており、ファイルセット１００内にはルートとなるインデックスファイル１０１が存在する。インデックスファイル１０１には、ファイルセットを構成するファイルの関連付けが記載されており、図１０の例では、保存条件情報２１が記載されたファイル、検査中情報２２が記載されたファイル、および医用画像、レポートなどが検査情報フォルダ１０２内に格納されている。
【００６３】
以上述べたように、第４の実施形態によれば、外部保存メディア２０をＤＩＣＯＭメディアとして運用できる。尚、第１から第３の実施形態では、必ずしもＤＩＣＯＭ形式でなくとも運用は可能であることは言うまでもない。
【００６４】
実施形態によれば、検査情報を所定の保存条件に基づいて外部保存メディアに分散保存することで所望の医用情報の検索を容易にする医用装置および医用装置用外部保存メディアが提供される。また、外部保存メディアを主たる保存媒体とすることで、医用装置本体内の記憶領域を小容量のものとすることができる。
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１０…医用装置、
１１…医用画像撮影部、
１２…検査情報保存部、
１３…表示部、
１４…ネットワークデータ送受信部、
１５…外部保存メディア入出力部、
１６…メディア検出部、
１７…メディア制御部、
１７１…検査中情報設定部、
１７２…保存条件情報設定部、
１７３…検査情報設定部、
１７４…データ制御部、
１８…患者情報設定部、
１９…ユーザインタフェース部、
２０…外部保存メディア。
【図１】
2015032294.tif 000003
【図２】
2015032294.tif 000004
【図３】
2015032294.tif 000005
【図４】
2015032294.tif 000006
【図５】
2015032294.tif 000007
【図６】
2015032294.tif 000008
【図７】
2015032294.tif 000009
【図８】
2015032294.tif 000010
【図９】
2015032294.tif 000011
【図１０】
2015032294.tif 000012